(57)【要約】【課題】簡単な構造で強度を確保して脚柱のデザインの自由度を広げることが可能な脚柱取付構造を得る。【解決手段】棚板１上に複数の鍵２を配列した鍵盤部３を両側から支持する脚柱本体５を備えた鍵盤楽器の脚柱取付構造であって、前記脚柱本体５の上面に装着されるプレート６を有し、前記プレート６の下面に形成した棒状部６１が前記脚柱本体５に設けた孔部５１に挿入することで前記プレート６と前記脚柱本体５とを固定するとともに、前記プレート６は、前記脚柱本体５の上面の面積より大きく形成されるとともに、脚柱本体５の上面に対して鍵盤部３の内側及び後側に偏心した位置に装着する。【選択図】図１
2020071389.tif 000002
【特許請求の範囲】
【請求項１】
棚板上に複数の鍵を配列した鍵盤部を両側から支持する脚柱本体を備えた脚柱取付構造であって、
前記脚柱本体の上面に装着されるプレートを有し、
前記プレートの下面に形成した棒状部が前記脚柱本体に設けた孔部に挿入することで前記プレートと前記脚柱本体とを固定するとともに、
前記プレートは、前記脚柱本体の上面の面積より大きく形成されたことを特徴とする鍵盤楽器の脚柱取付構造。
【請求項２】
前記プレートは、前記上面に対して前記鍵盤部の内側及び後側に偏心した位置に装着する請求項１に記載の鍵盤楽器の脚柱取付構造。
【請求項３】
前記プレート及び棒状部を金属で形成するとともに前記脚柱本体を木材で形成し、前記棒状部にねじ山を形成して前記孔部にねじ込むことで脚柱本体とプレートとを固定する請求項１乃至請求項３のいずれか１項に記載の鍵盤楽器の脚柱取付構造。
【請求項４】
前記棚板の両側面に腕木を装着し、前記棚板及び前記各腕木の両方の下面に連続する溝部を設け、該溝部に前記プレートが嵌合することで棚板、腕木及び脚柱本体を固定する請求項１に記載の鍵盤楽器の脚柱取付構造。
【請求項５】
上面中央位置に孔部を設けた長尺状の脚柱本体と、
前記脚柱本体の上面の面積より大きな面積を有し、前記孔部に挿入される棒状部を形成して前記脚柱本体の上面に装着されるプレートと、
を備え、
前記棒状部は、前記プレートの中央に対して偏心位置に形成し、
前記プレートを前記脚柱本体に装着するに際し、前記プレートの隣接する二辺の全体が前記脚柱本体の上面に対して外側に位置する
ことを特徴とする鍵盤楽器の脚柱。
【請求項６】
前記プレート及び棒状部を金属で形成するとともに前記脚柱を木材で形成し、前記棒状部にねじ山を形成して前記孔部にねじ込むことで脚柱本体とプレートとを固定する請求項５に記載の鍵盤楽器の脚柱。
【発明の詳細な説明】
【技術分野】
【０００１】
本発明は、鍵盤楽器の鍵盤部の前側を支える脚柱の取付構造に関し、妻土台を使用することなくデザインに自由度を持たせることができる脚柱取付構造、及び、この脚柱取付構造に使用される脚柱に関する。
【背景技術】
【０００２】
鍵盤楽器の脚柱取付構造は、強度を確保するために、鍵盤楽器本体から手前側に突出した鍵盤部の両側に設けた腕木と、本体下部の両側から手前側に突出した妻土台との間に、棚受柱を配置して鍵盤部を支持する構造が一般的である。
また、特許文献１の従来例に示されるように、棚板上に複数の鍵を配列した鍵盤部に対して、その両側を脚柱で支持する脚柱取付構造も提案されている。
【０００３】
この脚柱取付構造は、脚柱のボルトを腕木側に設けたねじ孔に直接ねじ込むに際して、脚柱が丸脚以外の異形脚の場合、ねじピッチの関係から希望する脚柱面を楽器本体の前面側に確実に向かせることができないため、丸脚の脚柱にしか採用できないという課題があった。
【０００４】
この課題に対して、特許文献１に示された脚柱取付構造は、脚柱の上面に設けたボルトと、このボルトの頭部に中心軸と直交する方向に設けた係合ピンと、腕木の下端面で前記脚柱に対応する位置に形成されたボルト取付用孔と、このボルト取付用孔に固定され、前記ボルトを係止するための脚柱固定金具と、前記脚柱を下方に付勢するための弾性部材とからなり、前記脚柱固定金具は前記ボルトと東部と前記係合ピンが貫通する孔と、前記係合ピンを係止するピン係止部とを備えることで、希望する脚柱面を前面側に臨ませて固定することが可能な構造となっている。
【先行技術文献】
【特許文献】
【０００５】
【特許文献１】実開昭５５−９９５７８号公報
【発明の概要】
【発明が解決しようとする課題】
【０００６】
しかしながら、特許文献１に記載の脚柱取付構造によれば、係合ピンや脚柱固定金具を使用した複雑な固定構造であり、組み立てが煩雑になるとともに製造コストの上昇を招くという問題点があった。
【０００７】
本発明は上記事情に鑑みて提案されたもので、簡単な構造で強度を確保して脚柱のデザインの自由度を広げるとともに、希望する脚柱面を楽器本体の前面側に容易に向かせることが可能な脚柱取付構造、及び、この脚柱取付構造に使用される脚柱を提供することを目的としている。
【課題を解決するための手段】
【０００８】
上記目的を達成するため請求項１は、棚板（１）上に複数の鍵（２）を配列した鍵盤部（３）を両側から支持する脚柱本体（５）を備えた鍵盤楽器の脚柱取付構造であって、
前記脚柱本体（５）の上面に装着されるプレート（６）を有し、
前記プレート（６）の下面に形成した棒状部（６１）が前記脚柱本体（５）に設けた孔部（５１）に挿入することで前記プレート（６）と前記脚柱本体（５）とを固定するとともに、
前記プレート（６）は、前記脚柱本体（５）の上面の面積より大きく形成されたことを特徴としている。
【０００９】
請求項２は、請求項１の鍵盤楽器の脚柱取付構造において、前記プレート（６）は、前記上面に対して前記鍵盤部（３）の内側及び後側に偏心した位置に装着することを特徴としている。
【００１０】
請求項３は、請求項１の鍵盤楽器の脚柱取付構造において、前記プレート（６）及び棒状部（６１）を金属で形成するとともに前記脚柱本体（５）を木材で形成し、前記棒状部（６１）にねじ山を形成して前記孔部（５１）にねじ込むことで脚柱本体（５）とプレート（６）とを固定することを特徴としている。
【００１１】
請求項４は、請求項１の鍵盤楽器の脚柱取付構造において、前記棚板（１）の両側面に腕木（４）を装着し、前記棚板（１）及び前記各腕木（４）の両方の下面に連続する溝部（７）を設け、該溝部（７）に前記プレート（６）が嵌合することで棚板（１）、腕木（４）及び脚柱本体（５）を固定することを特徴としている。
【００１２】
請求項５の鍵盤楽器の脚柱は、上面中央位置に孔部（５１）を設けた長尺状の脚柱本体（５）と、前記脚柱本体（５）の上面の面積より大きな面積を有し、前記孔部（５１）に挿入される棒状部（６１）を形成して前記脚柱本体（５）の上面に装着されるプレート（６）と、を備え、前記棒状部（６１）は、前記プレート（６）の中央に対して偏心位置に形成し、前記プレート（６）を前記脚柱本体（５）に装着するに際し、前記プレート（６）の隣接する二辺の全体が前記脚柱本体（５）の上面に対して外側に位置することを特徴としている。
【００１３】
請求項６は、請求項５の鍵盤楽器の脚柱において、前記プレート（６）及び棒状部（６１）を金属で形成するとともに前記脚柱を木材で形成し、前記棒状部（６１）にねじ山を形成して前記孔部（５１）にねじ込むことで脚柱本体（５）とプレート（６）とを固定することを特徴としている。
【発明の効果】
【００１４】
本発明の鍵盤楽器の脚柱取付構造によれば、プレート（６）を脚柱本体（５）の上面の面積より大きく形成することで、プレート（６）を介して棚板（１）と脚柱本体（５）とを強度を確保して固定することができる。
【００１５】
プレート（６）を脚柱本体（５）の上面に対して鍵盤部（３）の内側及び後側に偏心させることで、プレート（６）の面積を広くするとともに、脚柱本体（５）が前記内側及び後側にずれ難い構造を得ることができる。
【００１６】
プレート（６）の棒状部（６１）にねじ山を形成して孔部（５１）にねじ込むことで脚柱本体（５）とプレート（６）とを強固に固定することができる。
【００１７】
棚板（１）及び各腕木（４）の両方の下面に連続する溝部（７）を設けてプレート（６）が嵌合することで、棚板（１）、腕木（４）及び脚柱本体（５）を一つのプレート（６）で確実に固定することができる。
【図面の簡単な説明】
【００１８】
【図１】本発明の鍵盤楽器の脚柱取付構造の組立状態を示す斜視説明図である。
【図２】本発明の脚柱取付構造を説明するための鍵盤楽器の一部平面説明図である。
【図３】本発明の脚柱取付構造を説明するための鍵盤楽器の一部正面説明図である。
【図４】本発明の脚柱取付構造を説明するための鍵盤楽器の一部側面説明図である。
【図５】別の実施形態を示す脚柱本体及びプレートの平面説明図である。
【図６】図５の脚柱取付構造を採用した場合の脚柱付近の断面説明図である。
【図７】別の実施形態の脚柱取付構造を採用した場合の脚柱付近の断面説明図である。
【発明を実施するための形態】
【００１９】
以下、本発明の実施形態に係る鍵盤楽器の脚柱取付構造について、図１〜図４を参照しながら説明する。
図１は、本発明の脚柱取付構造を備えたアップライト型ピアノ（鍵盤楽器）の一部の斜視説明図であり、脚柱取付構造は、棚板１上に複数の鍵２を配列した鍵盤部３を両側から支持する脚柱本体５と、脚柱本体５の上面に装着されるプレート６とを備えて構成されている。
【００２０】
脚柱本体５は、上面が鍵盤部３の前後方向に長い長方形状に形成され、下方にいくに従い細くなる脚から構成され、上面の中央部に下方に向かって円形に穿孔される孔部５１を有している。脚柱本体５は、木材で構成されている。
【００２１】
プレート６は金属で構成され、鍵盤部３の前後方向に長い長方形状で且つ脚柱本体５の上面の面積より大きな面積を有している。
プレート６の下面の中央から偏心した位置に棒状部６１がプレート面に対して溶接等により連設されている。棒状部６１の連設位置は、図２の平面図において、プレート面の中央から右下側位置（偏心位置）とし、プレート上側(鍵盤後側)及び左側（鍵盤側）に当接面を確保するようになっている。すなわち、図２に示すように、プレート６を脚柱本体５に装着するに際し、プレート６の隣接する二辺の全体が脚柱本体５の上面に対して外側に位置するようになる。
また、プレート６には周囲辺に沿って孔６２ａ，６２ｂ，６２ｃ，６２ｄ，６２ｅが穿孔され、孔６２ａに上方から挿入されたビス（図示ぜず）を介してプレート６が脚柱本体５の上面に固定されている。
【００２２】
棒状部６１は、脚柱本体５に設けた孔部５１に挿入可能な円柱状に形成され、また周囲に螺旋状にねじ山が形成されている。すなわち、金属製の棒状部６１を木材性の脚柱本体５の孔部５１にねじ込みながら挿入することで、脚柱本体５とプレート６の棒状部６１とのガタを無くすとともに、脚柱本体５に対してプレート６が所望位置で固定される。その際、棒状部６１側にのみねじ山を形成しているので、脚柱本体５に対してプレート６を所望位置になるようにねじ込んで固定すれば、希望する脚柱面を楽器本体の前面側に確実に向かせることができる。
棒状部６１の長さは、強度の面からは長いほど好ましいが、孔部５１の加工精度を考慮した場合６０〜９０ｍｍ程度が好ましく、この実施例では強度と加工精度の両方がバランス良く達成できる長さである８０ｍｍとした。
脚柱本体５の上面の左右方向の幅が３０〜４０ｍｍである場合、孔部５１の直径は８〜１２ｍｍ程度が好ましい。
また、棒状部６１の周囲にねじ山を形成することなく、孔部５１に棒状部６１が嵌合するような構造であってもよい。この場合、脚柱本体５に対してプレート６を所望位置に合わせた状態で差し込むように挿入すればよい。
【００２３】
棚板１の両側面には腕木４が装着され、棚板１の下面に設けた溝７aと、各腕木の下面に設けた溝７ｂとで、棚板１及び各腕木４の両方の下面に連続する溝部７を設け、この溝部７にプレート６が嵌合配置するようになっている。
そして、孔６２ｂに下方から挿入されたビス（図示ぜず）を介してプレート６と一体化した脚柱本体５が腕木４の下面に固定されるとともに、孔６２ｃ，６２ｄ，６２ｅにそれぞれ下方から挿入されたビス（図示ぜず）を介して棚板１の下面に固定される。
すなわち、溝部７に篏合されたプレート６を用いることで、棚板１及び腕木４と脚柱本体５の三者同士が固定される脚柱固定構造となる。
【００２４】
そして、この脚柱固定構造において、プレート６は、図２〜図４に示すように、脚柱本体５の上面に対して鍵盤部３の内側及び後側に偏心した位置に装着されることで、鍵盤部３の内側及び後側で当接する面積が大きくなり、脚柱本体５に外部からの力が作用した場合に、脚柱本体５が鍵盤部３の内側及び後側にずれにくい構造とすることができる。
【００２５】
図５及び図６は、脚柱固定構造の他の実施形態を示すもので、プレート６に対して脚柱本体５が回転し難い構造を備えたものである。図１〜４と同じ構成を採る部分については同一の符号を付している。
この例では、プレート６の下面に方形状の回転防止板６２を固定し、この回転防止板６２に対して棒状部６１を設けている。そして、回転防止板６２が篏合する方形溝５２を脚柱本体５側に設けている。
この構造によれば、方形溝５２に回転防止板６２が篏合されることで、プレート６に対して脚柱本体５が回転することを防止できる。
【００２６】
図７は、脚柱固定構造の他の実施形態を示すもので、プレート６に対して棒状部６１を２本設けた構造となっている。図１〜４と同じ構成を採る部分については同一の符号を付している。
この例は、脚柱本体５の上面における前後方向（鍵盤部３に対する前後方向）の面積が大きいタイプに採用可能な構造であり、プレート６の下面に鍵盤部３の前後方向に２本の棒状部６１を設け、それぞれが脚柱本体５に設けた孔部６１に挿入するように構成されている。
この構造によれば、２本の棒状部６１でプレート６と脚柱本体５とが結合されるので、固定強度を高めるとともに、プレート６に対する脚柱本体５の回転を防止することができる。
【００２７】
上述した各脚柱固定構造によれば、脚柱本体５に固定されたプレート６を介して棚板１及び腕木４に固定することで、簡単な構造で強度を確保して脚柱のデザインの自由度を広げることができる。
【符号の説明】
【００２８】
１…棚板、  ２…鍵、  ３…鍵盤部、  ４…腕木、  ５…脚柱本体、  ６…プレート、  ７…溝部、  ５１…孔部、  ６１…棒状部、  ６２…回転防止板。
【図１】
2020071389.tif 000003
【図２】
2020071389.tif 000004
【図３】
2020071389.tif 000005
【図４】
2020071389.tif 000006
【図５】
2020071389.tif 000007
【図６】
2020071389.tif 000008
【図７】
2020071389.tif 000009
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
棚板上に複数の鍵を配列した鍵盤部を両側から支持する脚柱本体を備えた脚柱取付構造であって、
前記脚柱本体の上面に装着されるプレートを有し、
前記プレートの下面に形成した棒状部が前記脚柱本体に設けた孔部に挿入することで前記プレートと前記脚柱本体とを固定するとともに、
前記プレートは、前記脚柱本体の上面の面積より大きく形成されたことを特徴とする鍵盤楽器の脚柱取付構造。
【請求項２】
前記プレートは、前記上面に対して前記鍵盤部の内側及び後側に偏心した位置に装着する請求項１に記載の鍵盤楽器の脚柱取付構造。
【請求項３】
前記プレート及び棒状部を金属で形成するとともに前記脚柱本体を木材で形成し、前記棒状部にねじ山を形成して前記孔部にねじ込むことで脚柱本体とプレートとを固定する請求項１又は請求項２に記載の鍵盤楽器の脚柱取付構造。
【請求項４】
前記棚板の両側面に腕木を装着し、前記棚板及び前記各腕木の両方の下面に連続する溝部を設け、該溝部に前記プレートが嵌合することで棚板、腕木及び脚柱本体を固定する請求項１に記載の鍵盤楽器の脚柱取付構造。
【請求項５】
上面中央位置に孔部を設けた長尺状の脚柱本体と、
前記脚柱本体の上面の面積より大きな面積を有し、前記孔部に挿入される棒状部を形成して前記脚柱本体の上面に装着されるプレートと、
を備え、
前記棒状部は、前記プレートの中央に対して偏心位置に形成し、
前記プレートを前記脚柱本体に装着するに際し、前記プレートの隣接する二辺の全体が前記脚柱本体の上面に対して外側に位置する
ことを特徴とする鍵盤楽器の脚柱。
【請求項６】
前記プレート及び棒状部を金属で形成するとともに前記脚柱本体を木材で形成し、前記棒状部にねじ山を形成して前記孔部にねじ込むことで脚柱本体とプレートとを固定する請求項５に記載の鍵盤楽器の脚柱。
【手続補正２】
【補正対象書類名】明細書
【補正対象項目名】０００４
【補正方法】変更
【補正の内容】
【０００４】
この課題に対して、特許文献１に示された脚柱取付構造は、脚柱の上面に設けたボルトと、このボルトの頭部に中心軸と直交する方向に設けた係合ピンと、腕木の下端面で前記脚柱に対応する位置に形成されたボルト取付用孔と、このボルト取付用孔に固定され、前記ボルトを係止するための脚柱固定金具と、前記脚柱を下方に付勢するための弾性部材とからなり、前記脚柱固定金具は前記ボルトの頭部と前記係合ピンが貫通する孔と、前記係合ピンを係止するピン係止部とを備えることで、希望する脚柱面を前面側に臨ませて固定することが可能な構造となっている。
【手続補正３】
【補正対象書類名】明細書
【補正対象項目名】００１０
【補正方法】変更
【補正の内容】
【００１０】
請求項３は、請求項１又は請求項２の鍵盤楽器の脚柱取付構造において、前記プレート（６）及び棒状部（６１）を金属で形成するとともに前記脚柱本体（５）を木材で形成し、前記棒状部（６１）にねじ山を形成して前記孔部（５１）にねじ込むことで脚柱本体（５）とプレート（６）とを固定することを特徴としている。
【手続補正４】
【補正対象書類名】明細書
【補正対象項目名】００１３
【補正方法】変更
【補正の内容】
【００１３】
請求項６は、請求項５の鍵盤楽器の脚柱において、前記プレート（６）及び棒状部（６１）を金属で形成するとともに前記脚柱本体（５）を木材で形成し、前記棒状部（６１）にねじ山を形成して前記孔部（５１）にねじ込むことで脚柱本体（５）とプレート（６）とを固定することを特徴としている。
【手続補正５】
【補正対象書類名】明細書
【補正対象項目名】００２１
【補正方法】変更
【補正の内容】
【００２１】
プレート６は金属で構成され、鍵盤部３の前後方向に長い長方形状で且つ脚柱本体５の上面の面積より大きな面積を有している。
プレート６の下面の中央から偏心した位置に棒状部６１がプレート面に対して溶接等により連設されている。棒状部６１の連設位置は、図２の平面図において、プレート面の中央から右下側位置（偏心位置）とし、プレート上側(脚柱本体５の鍵盤後側にはみ出す部分)及び左側（脚柱本体５の鍵盤側にはみ出す部分）に当接面を確保するようになっている。すなわち、図２に示すように、プレート６を脚柱本体５に装着するに際し、プレート６の隣接する二辺の全体が脚柱本体５の上面に対して外側に位置するようになる。
また、プレート６には周囲辺に沿って孔６２ａ，６２ｂ，６２ｃ，６２ｄ，６２ｅが穿孔され、孔６２ａに上方から挿入されたビス（図示ぜず）を介してプレート６が脚柱本体５の上面に固定されている。
【手続補正６】
【補正対象書類名】明細書
【補正対象項目名】００２６
【補正方法】変更
【補正の内容】
【００２６】
図７は、脚柱固定構造の他の実施形態を示すもので、プレート６に対して棒状部６１を２本設けた構造となっている。図１〜４と同じ構成を採る部分については同一の符号を付している。
この例は、脚柱本体５の上面における前後方向（鍵盤部３に対する前後方向）の面積が大きいタイプに採用可能な構造であり、プレート６の下面に鍵盤部３の前後方向に２本の棒状部６１を設け、それぞれが脚柱本体５に設けた孔部５１に挿入するように構成されている。
この構造によれば、２本の棒状部６１でプレート６と脚柱本体５とが結合されるので、固定強度を高めるとともに、プレート６に対する脚柱本体５の回転を防止することができる。
【手続補正７】
【補正対象書類名】図面
【補正対象項目名】図６
【補正方法】変更
【補正の内容】
【図６】
2020071389.tif 000010